(57)【特許請求の範囲】
【請求項１】
グリセリン、ポリビニルピロリドン、モノクローナル抗体から選ばれる少なくとも１つの安定剤を含有し、クエン酸緩衝液、ＭＥＳ緩衝液、Ｂｉｓ−Ｔｒｉｓ緩衝液、ＡＤＡ緩衝液から選ばれる少なくとも１つの緩衝液によりｐＨ４．８〜７．０に保たれている、ノロウイルスを検出、測定するために調製されるイムノアッセイ用の糞便検体の検体希釈浮遊液。
【請求項２】
請求項１記載の検体希釈浮遊液を用いることによる糞便検体中のノロウイルスの安定化方法。
【請求項３】
請求項１記載の検体希釈浮遊液を含む容器。
【請求項４】
請求項３記載の検体希釈浮遊液を含む容器を用いることによる検体中のノロウイルスの安定化方法。
【発明の詳細な説明】
【技術分野】
【０００１】
本発明は、イムノアッセイを用いて検体中の被験物質を測定する際に、検体を浮遊または希釈するときに用いる検体希釈浮遊液およびそれを含む容器に関する。
【背景技術】
【０００２】
イムノアッセイを用いて検体中の被験物質を測定するとき、正確な結果を得るために定められた量の検体を測定の場に供する必要がある。しかし、検体が固形物の場合や、粘性が高い場合には、定められた量の検体を測定の場に供することが不可能となる。そこで、検体希釈浮遊液等を用いて検体を浮遊させ、正確な測定結果を求めている。
【０００３】
一方、検体中に含まれる物質には、酵素等の検体中の被験物質の構造等を変化させて正確な測定を阻むものが含まれる。特に分子量の大きいウイルス抗原の場合にはその影響が顕著に見られる。これらの影響は、検体を希釈することにより増大することから、検体を溶液化して放置するだけで抗原抗体反応に影響を与え、正確な測定結果が得られないこととなる。
【０００４】
そこで、検体に含まれるポリペプチドまたは抗原を安定化させる検体希釈浮遊液のｐＨが検討され、ブロッキング剤、可溶化剤、塩、キレート化剤、界面活性剤、保存剤等を含むｐＨ７．５〜８．５の水性試薬（特許文献１）、ｐＨ９．０〜１０．０のノロウイルスまたはサポウイルス検体用希釈液（特許文献２）等のアルカリ側の緩衝液が提案されている。また、酸性側の緩衝液として、正常血清を含有するｐＨ４．５〜６．５の簡易イムノアッセイ用検体希釈浮遊液が提案されているが、抗原の安定化に関しては効果が認められていない。
【先行技術文献】
【特許文献】
【０００５】
【特許文献１】特表２００３−５１７１５３号公報
【特許文献２】特開２００４−３０１６８４号公報
【特許文献３】特開２００８−１４７５２号公報
【発明の概要】
【発明が解決しようとする課題】
【０００６】
イムノアッセイを用いて検体中に含まれる被験物質を測定する際に、検体を検体希釈浮遊液に浮遊または希釈して、反応の場に供する。このとき、検体を検体希釈浮遊液に浮遊または希釈して直ぐに測定を行なう場合は特に問題とはならないが、測定を行なう前に検体を浮遊または希釈した状態で検体浮遊液を長時間放置することにより、検体由来の検体浮遊液に含まれる成分によって被験物質が変化を受け、正確な測定結果を得ることが出来なくなる。
【０００７】
それゆえ、検体希釈浮遊液に検体を浮遊または希釈して長時間放置しても、検体中の被験物質の変化が生じず、正確な測定結果を得ることが可能な、イムノアッセイ用の検体希釈浮遊液の組成を構築することが、重要な課題となっている。
【課題を解決するための手段】
【０００８】
発明者は、検体希釈浮遊液のｐＨに着目して酸性側からアルカリ性側までの複数の緩衝液で作製した検体希釈浮遊液を用意し、各々に被験物質を添加して放置前後に被験物質を測定したところ、アルカリ性側と比較して、酸性側の測定結果の変動が少なかった。このことより、イムノアッセイ用の検体希釈浮遊液のｐＨを酸性に保つことが検体浮遊液に含まれる被験物質の保存に有効と判断された。
【０００９】
また、イムノアッセイ用の検体希釈浮遊液に安定剤を添加することにより、検体浮遊液に含まれる被験物質の保存に、更なる効果が得られることが判り、安定剤を含んで酸性に保たれた検体希釈浮遊液を用いて検体を浮遊または希釈して検体中の被験物質を、イムノアッセイを用いて測定することが有用であるとの知見が得られた。
【００１０】
すなわち、本発明は以下の構成からなる。
（１）安定剤を含有し、緩衝液により酸性に保たれているイムノアッセイ用の検体希釈浮遊液。
（２）前記検体希釈浮遊液のｐＨがｐＨ４．８〜７．０の範囲である（１）記載のイムノアッセイ用の検体希釈浮遊液。
（３）前記緩衝液が、クエン酸緩衝液、ＭＥＳ緩衝液、Ｂｉｓ−Ｔｒｉｓ緩衝液、ＡＤＡ緩衝液から選ばれる少なくとも１である、（１）または（２）記載のイムノアッセイ用の検体希釈浮遊液。
（４）前記安定剤が、グリセリン、ポリビニルピロリドン、モノクローナル抗体、プロテアーゼ阻害剤から選ばれる少なくとも１である、（１）〜（３）記載のイムノアッセイ用の検体希釈浮遊液。
（５）前記検体が、糞便、嘔吐物、唾液、尿、血液から選ばれる少なくとも１である、（１）〜（４）記載のイムノアッセイ用の検体希釈浮遊液。
（６）前記検体が、糞便である、（１）〜（４）記載のイムノアッセイ用の検体希釈浮遊液。
（７）前記検体が、ノロウイルスを検出、測定するために調製される、（１）〜（６）記載のイムノアッセイ用の検体希釈浮遊液。
（８）（１）〜（７）記載の検体希釈浮遊液を用いることによる検体中のノロウイルスの安定化方法。
（９）（１）〜（７）記載の検体希釈浮遊液を含む容器。
（１０）（９）記載の検体希釈浮遊液を含む容器を用いることによる検体中のノロウイルスの安定化方法。
【００１１】
本発明のイムノアッセイ用の検体希釈浮遊液の一例としては、１０ｍＭ  ＥＤＴＡ・２Ｎａ、０．１％  ＢＳＡ、０．１％  ＰｒｏＣｌｉｎ３００（ＳＵＰＥＬＣＯ製）、０．０５％  Ｔｒｉｔｏｎ  Ｘ−１００を含むクエン酸緩衝液（ｐＨ６．０）が挙げられる。
【発明の効果】
【００１２】
検体をこの検体希釈浮遊液に浮遊または希釈して長時間保存しても、検体中に含まれる被験物質は変化することなくその物性は保たれる。
【図面の簡単な説明】
【００１３】
【図１】図１は、本検体希釈浮遊液を含む容器の一例となる採便容器。
【図２】図２は、ノロウイルス陽性糞便検体を本検体希釈浮遊液で浮遊し、４℃と３７℃で一日間静置した後の発光値の比率を残存活性としたグラフ。
【図３】図３は、ノロウイルスの抗原性を有するウイルス様中空粒子（ＮＶ−ＶＬＰ）を本検体希釈浮遊液で浮遊し、４℃と３７℃で一日間静置した後の発光値の比率を残存活性としたグラフ。
【図４】図４は、八種類のノロウイルス陽性糞便検体を本検体希釈浮遊液で浮遊し、４℃と３７℃で一日間静置した後の発光値の比率を残存活性としたグラフ。
【発明を実施するための形態】
【００１４】
イムノアッセイを用いて検体中に含まれる被験物質を測定する際に、検体を検体希釈浮遊液に浮遊または希釈して、反応の場に供する。しかし、検体に含まれる物質により検体中の被験物質が変化を受け、正確な測定結果を得ることが出来なくなる。この事象を解消するための検体希釈浮遊液の成分を提供する。
【００１５】
本検体希釈浮遊液を含む容器の一態様としては、図１に示す採便容器が挙げられる。採便容器に含まれる採便棒により便検体を採取し、採便容器に含まれる本検体希釈浮遊液に浮遊することにより、便検体に含まれる被験物質は変化することなくその物性は保たれる。
【００１６】
また、本願発明の検体希釈浮遊液を含む容器に浮遊または希釈させた検体をイムノアッセイに適用する例を以下に示す。
【００１７】
第一の例としては、検体中に含まれる被験物質に特異的に結合する物質（被験物質を認識する抗体等）をラテックス粒子の表面に固定化したラテックス試薬を作製する。このラテックス試薬の一定量を反応セルに分注した後に容器に含まれる検体希釈浮遊液に浮遊または希釈した検体の一定量を添加し、一定時間毎の濁度を測定する。
【００１８】
測定した濁度から、ラテックス試薬と検体希釈浮遊液に浮遊または希釈した検体を混合することにより得られた濁度変化を求め、検体希釈浮遊液に浮遊または希釈した検体の代わりに被験物質の濃度が判っている標準物質とラテックス試薬を混合することにより得られた濁度変化と比較して、検体希釈浮遊液に浮遊または希釈した検体に含まれる被験物質の濃度を求める。
【００１９】
第二の例としては、検体中に含まれる被験物質に特異的に結合する物質を磁性粒子の表面に固定化した固相化磁性粒子を作製する。一定量の固相化磁性粒子に容器に含まれる検体希釈浮遊液に浮遊または希釈した検体の一定量を添加し、定温で第一の免疫反応を行なう。一定時間後に磁力を利用して固相化磁性粒子を捕捉して反応液を取り除き、洗浄液を用いて残液を洗浄・吸入する。
【００２０】
次に、被験物質に特異的に結合する物質とルシフェラーゼの結合物を作製する。第一の免疫反応後に、洗浄した固相化磁性粒子に被験物質に特異的に結合する物質とルシフェラーゼの結合物の一定量を添加し、定温で第二の免疫反応を行なう。一定時間後に磁力を利用して固相化磁性粒子を捕捉して反応液を取り除き、洗浄液を用いて残液を洗浄・吸入する。
【００２１】
第二の免疫反応後に、洗浄した固相化磁性粒子に結合しているルシフェラーゼの量を酵素活性で測定する。検体希釈浮遊液に浮遊または希釈した検体の代わりに被験物質の濃度が判っている標準物質と反応することにより得られた固相化磁性粒子に結合しているルシフェラーゼの量と比較して、検体希釈浮遊液に浮遊または希釈した検体に含まれる被験物質の濃度を求める。
【００２２】
なお、本願発明の検体希釈浮遊液のｐＨは酸性であれば効果が得られるが、好ましくはｐＨ４．８〜７．０、より好ましくはｐＨ５．６〜６．８において、検体中の被験物質の安定化に関してより大きな効果が得られる。
【００２３】
また、本願発明に適用可能な緩衝剤は、酸性領域に緩衝能を有する緩衝剤であれば特に限定はされないが、生化学用の緩衝剤であることが好ましい。具体的には、クエン酸緩衝液、ＭＥＳ緩衝液、Ｂｉｓ−Ｔｒｉｓ緩衝液、およびＡＤＡ緩衝液をあげることができるが、これらに限定されるものではない。
【００２４】
また、本願発明に適用可能な安定化剤は、グリセリン、ポリビニルピロリドン、モノクローナル抗体、およびプロテアーゼ阻害剤をあげることができるが、これらに限定されるものではない。
【実施例】
【００２５】
［比較例１］検体希釈浮遊液に浮遊させた糞便中ノロウイルス抗原の酵素免疫測定法
抗ノロウイルス抗原モノクローナル抗体Ａ（栄研化学製）を磁性粒子に固定化し、０．２％の抗体固相化磁性粒子を作製した。一方、抗ノロウイルス抗原モノクローナル抗体Ｂ（栄研化学製）を用いてルシフェラーゼ結合体を作製した。
【００２６】
１％となるように検体希釈浮遊液に便を浮遊した懸濁液を１５，０００ｒｐｍで５分間遠心した上清１００μＬと０．７５％  Ｔｒｉｔｏｎ  Ｘ−１００を含む５０ｍＭ  トリス緩衝液（ｐＨ８．３）の処理液１００μＬを混合して３７℃で１５分間の前処理を行なった。
【００２７】
前処理を行なったチューブに、５％  ＢＳＡ（オリエンタル酵母製）、０．５Ｍ  ＮａＣｌ、および０．１％  ＰｒｏＣｌｉｎ３００（ＳＵＰＥＬＣＯ製）を含む０．１Ｍ  ＨＥＰＥＳ緩衝液（ｐＨ７．３）の免疫反応液１００μＬと０．２％  抗体固相化磁性粒子を４０μＬを加えて３７℃で１５分間の免疫反応を行なった。
【００２８】
反応後、抗体固相化磁性粒子を１５０ｍＭ  ＮａＣｌおよび０．１％  Ｔｗｅｅｎ２０を含む１０ｍＭ  トリス緩衝液（ｐＨ７．６）の洗浄液で３回洗浄した後に、ルシフェラーゼ結合体溶液を５０μＬを加えて３７℃で１５分間の免疫反応を行なった。
【００２９】
反応後、抗体固相化磁性粒子を洗浄液で３回洗浄した後に、１００μＬの５０ｍＭ  トリス緩衝液（ｐＨ８．５）に再懸濁した。抗体固相化磁性粒子を再懸濁したチューブに１００μＬのルシフェリンを加え、ルーマットＬＢ９５０７（ベルトールド製）を用いてルシフェラーゼの発光を測定した。発光測定は、ルシフェリン添加０．５秒後から５秒間の発光を積算した。
【００３０】
［実施例１］クエン酸緩衝液を用いた検体希釈浮遊液の作製と安定性の評価
検体希釈浮遊液として、ｐＨ４．８、ｐＨ５．８、ｐＨ７．０、ｐＨ７．４、およびｐＨ８．２の１００ｍＭのクエン酸緩衝液に１０ｍＭ  ＥＤＴＡ・２Ｎａ、０．１％  ＢＳＡ、０．１％  ＰｒｏＣｌｉｎ３００（ＳＵＰＥＬＣＯ製）、および０．０５％  Ｔｒｉｔｏｎ  Ｘ−１００を溶解した溶液を作製した。
【００３１】
これらの検体希釈浮遊液に、ノロウイルス陽性糞便検体（検体Ａ）およびＮＶ−ＶＬＰを懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を各々図２および図３に示す。
【００３２】
ＮＶ−ＶＬＰを懸濁した検体浮遊液ではいずれのｐＨでも４℃条件に対する３７℃条件での発光値の比率は同等で、安定性に影響は認められないが（図３）、ノロウイルス陽性糞便検体を懸濁した検体浮遊液ではアルカリ性条件（ｐＨ７．４およびｐＨ８．２）に比べて酸性条件（ｐＨ４．８およびｐＨ５．８）および中性（ｐＨ７．０）の方が４℃条件に対する３７℃条件での発光値の比率が高く、酸性条件でのノロウイルスの安定性が認められた（図２）。
【００３３】
［実施例２］酸性領域での検体希釈浮遊液の作製と安定性の評価
検体希釈浮遊液として、酸性領域であるｐＨ５．６、ｐＨ５．８、ｐＨ６．０、ｐＨ６．２、ｐＨ６．４、ｐＨ６．６、およびｐＨ６．８の１００ｍＭのクエン酸緩衝液に１０ｍＭ  ＥＤＴＡ・２Ｎａ、０．１％  ＢＳＡ（オリエンタル酵母製）、０．１％  ＰｒｏＣｌｉｎ３００（ＳＵＰＥＬＣＯ製）、および０．０５％  Ｔｒｉｔｏｎ  Ｘ−１００を溶解した溶液を作製した。
【００３４】
これらの検体希釈浮遊液に、八種類のノロウイルス陽性糞便検体を懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を図４に示す。
【００３５】
八種類のノロウイルス陽性糞便検体において、いずれのｐＨでも４℃条件に対する３７℃条件での発光値の比率は同等で、広い範囲の酸性領域でノロウイルスの安定性が認められた（図４）。
【００３６】
［実施例３］種々の緩衝液を用いた検体希釈浮遊液の作製と安定性の評価
実施例１に記載の検体希釈浮遊液の緩衝液を、１００ｍＭ  クエン酸緩衝液（ｐＨ６．０）、１０ｍＭ  ＭＥＳ（２−Ｍｏｒｐｈｏｌｉｎｏｅｔｈａｎｅｓｕｌｆｏｎｉｃ  ａｃｉｄ：同仁化学製）緩衝液（ｐＨ６．０）、１０ｍＭ  Ｂｉｓ（Ｂｉｓ（２−ｈｙｄｒｏｘｙｅｔｈｙｌ）ｉｍｉｎｏｔｒｉｓ（ｈｙｄｒｏｘｙｍｅｔｈｙｌ）ｍｅｔｈａｎｅ：同仁化学製）−Ｔｒｉｓ緩衝液（ｐＨ６．０）、および１０ｍＭ  ＡＤＡ（Ｎ−（２−Ａｃｅｔａｍｉｄｏ）ｉｍｉｎｏｄｉａｃｅｔｉｃ  ａｃｉｄ：同仁化学製）緩衝液（ｐＨ６．０）に変えて検体浮遊液を作製した。
【００３７】
これらの検体希釈浮遊液に、二種類のノロウイルス陽性糞便検体（陽性検体Ａおよび陽性検体Ｂ）を懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を表１に示す。
【００３８】
【表１】
0006004744.tif 000002
【００３９】
二種類のノロウイルス陽性糞便検体において、いずれの緩衝液を用いた場合でも、４℃条件に対する３７℃条件での発光値の比率は同等で、安定性に影響は認められなかった（表１）。このことより、緩衝液の種類に拘らず、検体希釈浮遊液を酸性にすることによりノロウイルス抗原の安定性が認められた。
【００４０】
［実施例４］血清を添加した検体希釈浮遊液の作製と安定性の評価
実施例３に記載の１０ｍＭ  ＭＥＳ緩衝液（ｐＨ６．０）を用いた検体希釈浮遊液に、ウシ胎児血清（ＦＢＳ）二種類（ライフテクノロジージャパン製およびニチレイ製）、ウマ血清（ＥＮＳ：ライフテクノロジージャパン製）、およびウシ血清（ＣＳ：ライフテクノロジージャパン製）二ロットを各々添加して、５％の血清含有検体希釈浮遊液を作製した。
【００４１】
これらの検体希釈浮遊液に、ノロウイルス陽性糞便検体（陽性検体Ｃ）を懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を表２に示す。
【００４２】
【表２】
0006004744.tif 000003
【００４３】
二種類のＦＢＳを５％となるように添加した検体浮遊液では４℃条件に対する３７℃条件での発光値の比率は同等で、ノロウイルス抗原の安定性が認められたが、ＥＮＳおよび二ロットのＣＳを５％となるように添加した検体浮遊液では４℃条件に対する３７℃条件での発光値の比率は低く、ノロウイルス抗原の安定性はＦＢＳに及ばなかった（表２）。
【００４４】
［実施例５］ＦＢＳの濃度を変えた検体希釈浮遊液の作製と安定性の評価
実施例３に記載の１０ｍＭ  ＭＥＳ緩衝液（ｐＨ６．０）を用いた検体希釈浮遊液に、１％、５％、および１０％のＦＢＳ（ニチレイ製）を添加して、ＦＢＳ含有検体希釈浮遊液を作製した。なお、対照はＦＢＳを含まない検体希釈浮遊液とした。
【００４５】
これらの検体希釈浮遊液に、ノロウイルス陽性糞便検体（陽性検体Ｄ）を懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を表３に示す。
【００４６】
【表３】
0006004744.tif 000004
【００４７】
検体浮遊液にＦＢＳを添加することにより、４℃条件に対する３７℃条件での発光値の比率は濃度依存的に上昇し、ノロウイルス抗原の安定性の向上が認められ、ＦＢＳを５％以上添加することにより同等となった（表３）。
【００４８】
［実施例６］種々の添加剤を含有する検体希釈浮遊液の作製と安定性の評価
実施例５に記載の５％  ＦＢＳを添加した１０ｍＭ  ＭＥＳ緩衝液（ｐＨ６．０）を用いた検体希釈浮遊液に、５０％  グリセリン（キシダ化学製）、１０％  ポリビニルピロリドンＫ３０（ＰＶＰ：和光純薬製）、１％  Ｍｕｃｉｎ  ｆｒｏｍ  ｐｏｒｃｉｎｅ  ｓｔｏｍａｃｈ  ＴｙｐｅＩＩＩ（Ｍｕｃｉｎ：シグマ  アルドリッチ  ジャパン製）、１０μｇ／ｍＬ  抗ノロウイルス抗原マウスモノクローナル抗体Ｃ（モノクローナル抗体Ｃ：栄研化学製）、１ｔａｂｌｅｔ／１０ｍＬ  ｃＯｍｐｌｅｔｅ  ＵＬＴＲＡ  Ｔａｂｌｅｔｓ，  Ｍｉｎｉ  ＥＡＳＹ  ｐａｃｋ（Ｒｏｃｈｅ  Ｔａｂｌｅｔｓ：ロシュ・ダイアグノスティックス製）、および４ｍｇ／ｍＬ  Ｔｒｙｐｓｉｎ  ｉｎｈｉｂｉｔｏｒ  ｆｒｏｍ  Ｇｌｙｃｉｎｅ  ｍａｘ（ｓｏｙｂｅａｎ）（ＳＩＧＭＡ  ＴＩ：シグマ  アルドリッチ  ジャパン製）を各々添加して、検体希釈浮遊液を作製した。
【００４９】
これらの検体希釈浮遊液に、ノロウイルス陽性糞便検体（陽性検体Ｅ）を懸濁し、４℃と３７℃で１日間静置した。これらの添加剤は高濃度で添加されており、免疫反応を阻害すると考えられ、静置後に添加剤不含の検体希釈浮遊液で１００倍に希釈し、比較例１に記載の測定方法で測定し、４℃条件での発光値に対する３７℃条件での発光値の比率を求め、検体浮遊液中のノロウイルス抗原の安定性の指標とした結果を表４に示す。
【００５０】
【表４】
0006004744.tif 000005
【００５１】
検体浮遊液にグリセリン、ＰＶＰ、Ｍｕｃｉｎ、モノクローナル抗体Ｃ、Ｒｏｃｈｅ  Ｔａｂｌｅｔｓ、またはＳＩＧＭＡ  ＴＩを添加したとき、いずれの場合も添加剤不含の検体浮遊液に比べて、４℃条件に対する３７℃条件での発光値の比率は上昇し、ノロウイルス抗原の安定性の向上が認められた（表４）。
【００５２】
［実施例７］本発明の検体希釈浮遊液を用いたノロウイルス抗原の安定性
従来の検体希釈浮遊液である、１０ｍＭ  リン酸緩衝液（ｐＨ７．２）に１０ｍＭ  ＥＤＴＡ・２Ｎａ、０．１％  ＢＳＡ、０．１％  ＰｒｏＣｌｉｎ３００、および０．０５％  Ｔｒｉｔｏｎ  Ｘ−１００を溶解した溶液（検体希釈浮遊液Ａ）ならびに本発明の一例である１０ｍＭ  ＭＥＳ緩衝液（ｐＨ６．０）に１０ｍＭ  ＥＤＴＡ・２Ｎａ、１．５％  ＢＳＡ、０．１％  ＰｒｏＣｌｉｎ３００、０．０５％  Ｔｒｉｔｏｎ  Ｘ−１００、５％  ＦＢＳ、０．０１％  Ｍｕｃｉｎ、および０．１μｇ／ｍＬ  抗ノロウイルスモノクローナル抗体Ｃを溶解した溶液（検体希釈浮遊液Ｂ）を作成した。
【００５３】
これらの検体希釈浮遊液に、四種類のノロウイルス陽性糞便検体（陽性検体Ｂ、陽性検体Ｄ、陽性検体Ｅ、および陽性検体Ｆ）を懸濁し、４℃と３７℃で１日間静置した。静置後に比較例１に記載の測定方法で測定し、４℃条件での発光値に対する３７℃条件での発光値の比率を求め、検体浮遊液中のノロウイルス抗原の安定性の指標とした結果を表５に示す。
【００５４】
【表５】
0006004744.tif 000006
【００５５】
本発明の一例である検体希釈浮遊液Ｂを検体希釈浮遊液Ａと比べると、いずれの検体においても４℃条件に対する３７℃条件での発光値の比率は高く、ノロウイルス抗原の安定性が認められた（表５）。
【００５６】
以上の結果より、検体希釈浮遊液を酸性にすることにより、検体浮遊液中の被験物質の安定性が向上し、検体採取後の時間経過に伴う測定結果の変動を抑えることができる。また、検体希釈浮遊液に安定剤を添加することにより、検体浮遊液中の被験物質の安定性がさらに向上する。
【産業上の利用可能性】
【００５７】
医療現場および食品衛生上、患者または被験者の検体中の被験物質を正確に測定することは重要である。そこで、本発明の検体希釈浮遊液を用いて検体を浮遊または希釈することにより、検体中の被験物質を安定に保つことが可能となり、患者の検体中の被験物質を正確に測定出来る。
【図１】
0006004744.tif 000007
【図２】
0006004744.tif 000008
【図３】
0006004744.tif 000009
【図４】
0006004744.tif 000010